(57)【要約】  ＢＯＧ圧縮設備は、複数の第１レシプロ圧縮機１２、複数の第２レシプロ圧縮機１４、中間配管１６、定格最大流量検出器１８、及び台数制御装置２０ａを備える。定格最大流量検出器１８により、複数箇所から中間配管１６に流入し得るＢＯＧの定格最大流量をそれぞれ検出する。台数制御装置２０ａにより、複数箇所からの定格最大流量に基づき、第２レシプロ圧縮機１４の運転台数を制御する。
2016059996.tif 000002
【特許請求の範囲】
【請求項１】
貯蔵タンクで発生するＢＯＧを第１圧まで圧縮する複数の第１レシプロ圧縮機と、
前記第１圧のＢＯＧを第２圧まで圧縮する複数の第２レシプロ圧縮機と、
前記第１レシプロ圧縮機の吐出側と前記第２レシプロ圧縮機の吸入側とを連通する中間配管と、
複数箇所から前記中間配管に流入し得るＢＯＧの定格最大流量をそれぞれ検出する定格最大流量検出器と、
前記複数箇所からの前記定格最大流量に基づき、前記第２レシプロ圧縮機の運転台数を制御する台数制御装置と、を備えるＢＯＧ圧縮設備。
【請求項２】
前記台数制御装置は、
それぞれの前記定格最大流量から最大総ガス流量を予測する最大総ガス流量予測部と、
前記最大総ガス流量に基づいて前記第２レシプロ圧縮機の指令台数を計算する指令台数計算部と、
前記第２レシプロ圧縮機の現在の運転台数と前記指令台数とを比較し、前記現在の運転台数が前記指令台数と一致するように運転台数の増加又は減少を指令する指令出力部と、を有する、請求項１に記載のＢＯＧ圧縮設備。
【請求項３】
前記指令台数計算部は、前記最大総ガス流量と各前記第２レシプロ圧縮機の定格最大流量とから、前記指令台数を計算し、
前記指令出力部は、前記指令台数が現在の運転台数を超える場合に運転台数を増やす増台指令を出力し、現在の運転台数より１台少ない台数が前記指令台数を超える場合に運転台数を減らす減台指令を出力する、請求項２に記載のＢＯＧ圧縮設備。
【請求項４】
前記第２レシプロ圧縮機をバイパスしてその吐出側と前記中間配管を連通するリサイクルラインと、
該リサイクルラインに設けられ、前記第２レシプロ圧縮機の前記吐出側から前記中間配管に戻るガス流量を制御する戻しガス流量制御弁と、を備える、請求項１に記載のＢＯＧ圧縮設備。
【請求項５】
各前記第２レシプロ圧縮機の運転容量は、互いに異なる２以上の運転容量にステップ状に調整可能であり、
前記複数箇所から前記中間配管に実際に流入する総ガス流量を検出する総ガス流量検出器と、
前記運転台数の制御で運転中となっている各前記第２レシプロ圧縮機の運転容量を、前記総ガス流量に基づいて調整する容量調整装置と、を備える、請求項１〜４のいずれか一項に記載のＢＯＧ圧縮設備。
【請求項６】
前記容量調整装置は、
（１）前記中間配管を流れる前記総ガス流量が、運転中である各前記第２レシプロ圧縮機の運転容量の総和を超えたら、運転中である前記複数の第２レシプロ圧縮機の少なくともいずれかの運転容量を、最大運転容量側へ切り替え、または
（２）前記総ガス流量Ｇが、運転中の各前記第２レシプロ圧縮機の運転容量の総和Ｗｓよりも小さく、かつ、前記総和Ｗｓから前記総ガス流量Ｇを引いた値（Ｗｓ−Ｇ）が、前記第２レシプロ圧縮機の運転容量の切り替え可能量よりも大きい場合に、運転中の各前記第２レシプロ圧縮機の運転容量をゼロより大きい値に維持しつつ、運転中である前記複数の第２レシプロ圧縮機の少なくともいずれかの運転容量を最小運転容量側へ切り替える、請求項５に記載のＢＯＧ圧縮設備。
【請求項７】
運転中の前記第２レシプロ圧縮機が２台以上であり、運転中の前記複数の第２レシプロ圧縮機にそれぞれ優先順位が設定されている場合に、
（Ａ）運転中の前記第２レシプロ圧縮機の運転容量の総和が、前記中間配管に流入する前記総ガス流量を超え、
（Ｂ）前記優先順位が高い前記第２レシプロ圧縮機ほど高い運転容量を有し、かつ、
（Ｃ）運転中のすべての前記第２レシプロ圧縮機の運転容量がゼロより大きくなるように、
前記容量調整装置は、各前記第２レシプロ圧縮機の運転容量を調整する、請求項５に記載のＢＯＧ圧縮設備。
【請求項８】
前記容量調整装置は、運転中の前記第２レシプロ圧縮機がＮ台（Ｎ≧２）であり、運転中の前記複数の第２レシプロ圧縮機にそれぞれ優先順位が設定されている場合に、
優先順位の順に、１台目からＫ台目（１≦Ｋ≦Ｎ−１）までの運転容量を、前記総ガス流量から、１台目から（Ｋ−１）台目までの運転容量の和と、（Ｋ＋１）台目からＮ台目までの、ゼロより大きい最低容量の和とを減算した残容量に基づいて調整する第１容量調整部と、
優先順位がＮ番目の運転容量を、前記総ガス流量から、１台目から（Ｎ−１）台目までの運転容量の和を減算した残容量よりも大きい値に調整する第２容量調整部と、を有する、請求項５に記載のＢＯＧ圧縮設備。
【請求項９】
請求項１に記載のＢＯＧ圧縮設備を準備し、
前記定格最大流量検出器により、前記複数箇所から前記中間配管に流入し得るＢＯＧの定格最大流量をそれぞれ検出し、
前記台数制御装置により、前記複数箇所からの前記定格最大流量に基づき、前記第２レシプロ圧縮機の運転台数を制御する、レシプロ圧縮機の制御方法。
【請求項１０】
総ガス流量検出器により、前記複数箇所から前記中間配管に実際に流入する総ガス流量を検出し、
前記複数の第２レシプロ圧縮機により、前記第１圧のＢＯＧを第２圧まで圧縮し、
前記運転台数の制御で運転中となっている各前記第２レシプロ圧縮機の運転容量を、容量調整装置により、前記総ガス流量に基づいて、２以上のステップ状に調整する、請求項９に記載のレシプロ圧縮機の制御方法。
【発明の詳細な説明】
【技術分野】
【０００１】
本開示は、低温液化ガスの貯蔵タンク内で発生するボイルオフガス（ＢＯＧ）を圧縮するＢＯＧ圧縮設備と、レシプロ圧縮機の制御方法に関する。
【背景技術】
【０００２】
ＬＮＧ、ＬＥＧ、ＬＰＧなど低温液化ガスの貯蔵タンクでは、貯蔵中に外部からの入熱によりボイルオフガス（Ｂｏｉｌ  Ｏｆｆ  Ｇａｓ、以下「ＢＯＧ」という）が大量に発生する。
そのため、貯蔵タンク内の圧力が上昇するのを防止するために、ＢＯＧを圧縮するＢＯＧ圧縮設備が提案され使用されている（例えば、特許文献１〜３）。【０００３】
特許文献１は、アンローダ付き吸入弁を有する高圧圧縮機と、対向釣合い形往復圧縮機を開示している。
特許文献２は、ＢＯＧ高圧圧縮機と再液化装置を開示している。
特許文献３は、ＢＯＧ多段容積型圧縮機を開示している。
【先行技術文献】
【特許文献】
【０００４】
【特許文献１】特開２００２−１１５６６３号公報
【特許文献２】特開２００８−２８６２１１号公報
【特許文献３】特開２０１２−１２２３５２号公報
【発明の概要】
【発明が解決しようとする課題】
【０００５】
特許文献１〜３に開示されている対向釣合い形往復圧縮機、ＢＯＧ高圧圧縮機、及びＢＯＧ多段容積型圧縮機を、以下、「２段式レシプロ圧縮機」と呼ぶ。
レシプロ圧縮機は、ターボ圧縮機と比較して圧縮比が大きく、運転効率が高い特徴がある。
また２段式レシプロ圧縮機は、単一の駆動源（例えばモータ）で低圧ピストンと高圧ピストンを駆動し、貯蔵タンクで発生するＢＯＧを高圧（例えば４〜６ＭＰａ）まで圧縮することができる。【０００６】
２段式レシプロ圧縮機で圧縮したＢＯＧは、需要先（例えば発電所）に送ることで処理される。需要先でのＢＯＧの用途（例えばガスタービンの燃料）により、ＢＯＧを高圧（例えば４〜６ＭＰａ）に圧縮する場合がある。【０００７】
しかし、２段式レシプロ圧縮機は、低圧圧縮時と高圧圧縮時とで負荷が大きく相違するため、負荷変動が大きい問題点がある。【０００８】
一方、単段式レシプロ圧縮機は、低圧ピストン又は高圧ピストンのみを有するため、負荷変動が小さく運転効率が高い特徴がある。【０００９】
そこで、圧縮比が大きく、負荷変動が小さく、運転効率が高いレシプロ圧縮機（例えば単段式レシプロ圧縮機）を用いて、貯蔵タンクで発生するＢＯＧを高圧（例えば４〜６ＭＰａ）まで圧縮することが考えられる。【００１０】
しかし貯蔵タンクで発生するＢＯＧの圧力は非常に低い（例えば、常圧〜０．０２ＭＰａ）。そのため、高圧（例えば４〜６ＭＰａ）まで圧縮するには、低圧用と高圧用のレシプロ圧縮機を直列に配置し、その間に中間配管を設けることが考えられる。
なお、高圧用のレシプロ圧縮機を用いて、単段圧縮で高圧まで圧縮することもできる。【００１１】
また、貯蔵タンクで発生するＢＯＧのガス流量は貯蔵タンクの使用状況や季節（気温の変化など）による変動が大きい。そのため、低圧用と高圧用にそれぞれ複数台のレシプロ圧縮機を設置し、状況に応じてレシプロ圧縮機の運転台数を制御することが考えられる。【００１２】
しかし、貯蔵タンク上部の空間容積と比較すると、中間配管の容積は小さく（例えば貯蔵タンク上部の空間容積の１〜５％程度）、かつレシプロ圧縮機は起動と停止に長時間（例えば３０〜６０秒）かかる。そのため、低圧用と高圧用のレシプロ圧縮機のガス流量にアンバランスが生じると、その間の中間配管内の圧力が急上昇又は急低下し、高圧用のレシプロ圧縮機の運転台数制御が圧力変動に追従できない可能性があった。【００１３】
本開示の目的は、ガス流量のアンバランスを抑制し、配管内圧力の急変を防止することができるＢＯＧ圧縮設備とレシプロ圧縮機の制御方法を提供することにある。
【課題を解決するための手段】
【００１４】
本開示の１つの観点によれば、貯蔵タンクで発生するＢＯＧを第１圧まで圧縮する複数の第１レシプロ圧縮機と、
前記第１圧のＢＯＧを第２圧まで圧縮する複数の第２レシプロ圧縮機と、
前記第１レシプロ圧縮機の吐出側と前記第２レシプロ圧縮機の吸入側とを連通する中間配管と、
複数箇所から前記中間配管に流入し得るＢＯＧの定格最大流量をそれぞれ検出する定格最大流量検出器と、
前記複数箇所からの前記定格最大流量に基づき、前記第２レシプロ圧縮機の運転台数を制御する台数制御装置と、を備えるＢＯＧ圧縮設備が提供される。【００１５】
また本開示の他の観点によれば、上述したＢＯＧ圧縮設備を準備し、
前記定格最大流量検出器により、前記複数箇所から前記中間配管に流入し得るＢＯＧの定格最大流量をそれぞれ検出し、
前記台数制御装置により、前記複数箇所からの前記定格最大流量に基づき、前記第２レシプロ圧縮機の運転台数を制御する、レシプロ圧縮機の制御方法が提供される。
【発明の効果】
【００１６】
上記本開示によれば、中間配管に流入し得る複数箇所からのＢＯＧのそれぞれの定格最大流量に基づき、台数制御装置により、複数の第２レシプロ圧縮機の運転台数を制御するので、中間配管内に圧力変動が生じる前に第２レシプロ圧縮機の起動又は停止ができる。
従って、第２レシプロ圧縮機の運転台数制御の追従性が高まるので、ガス流量のアンバランスを抑制し、配管内圧力の急変を防止することができる。
【図面の簡単な説明】
【００１７】
【図１】本開示の実施形態によるＢＯＧ圧縮設備の全体系統図である。
【図２Ａ】単段式レシプロ圧縮機の具体例を示す模式図である。
【図２Ｂ】単段式レシプロ圧縮機の別の具体例を示す模式図である。
【図３】単段式レシプロ圧縮機による容量調整の説明図である。
【図４】台数制御装置の構成図である。
【図５】本開示の実施形態による、レシプロ圧縮機の台数制御方法の全体フロー図である。
【図６】容量調整装置の構成図である。
【図７】本開示の実施形態による、レシプロ圧縮機の容量調整方法の全体フロー図である。
【図８】総ガス流量Ｇと運転容量Ｗの関係を示す説明図である。
【発明を実施するための形態】
【００１８】
以下、本開示の実施形態を添付図面に基づいて詳細に説明する。なお、各図において共通する部分には同一の符号を付し、重複した説明を省略する。
【００１９】
以下、本開示において、「流量」とは、特に明記しない限り「重量流量」を意味する。また、「定格最大流量」とは、機器毎に予め設定された「最大流量」（すなわち最大重量流量）を意味する。
「台数制御」とは、運転台数を変化させる制御を意味する。運転台数は、運転中において最小値が１の整数である。
「容量調整」とは、運転中のレシプロ圧縮機の運転容量を変化させる制御を意味する。「運転容量」とは、運転中のレシプロ圧縮機が圧縮可能なガスの重量流量である。
従って、レシプロ圧縮機の「最大運転容量」は、「定格最大流量」を意味する。
【００２０】
図１は、本開示の実施形態によるＢＯＧ圧縮設備の全体系統図である。
この図において、１はＬＮＧ、ＬＥＧ、ＬＰＧなどの低温液化ガス、２は貯蔵タンク、３は低温液化ガス１の供給ライン、４はポンプ、５は蒸発器、６はガス移送ライン、７は合流管、８は需要先である。
【００２１】
この構成により、貯蔵タンク２に貯蔵された低温液化ガス１を、供給ライン３によりポンプ４に供給し、ポンプ４で低温液化ガス１を加圧し、蒸発器５で低温液化ガス１を蒸発させ、蒸発したガス（例えば天然ガス）を需要先８に供給することができる。
【００２２】
需要先８は、例えば発電所であり、ボイラやガスタービンの燃料として例えば４〜６ＭＰａの圧力（以下、「高圧」と呼ぶ）の低温液化ガス１が需要先８に供給される。
【００２３】
本実施形態のＢＯＧ圧縮設備は、第１制御装置１０、第１圧力検出器１１、複数の第１レシプロ圧縮機１２、複数の第２レシプロ圧縮機１４、中間配管１６、定格最大流量検出器１８、及び第２制御装置２０を備える。
なお、第１制御装置１０、定格最大流量検出器１８、及び第２制御装置２０を単一の制御装置（例えばコンピュータ）で構成してもよい。
【００２４】
貯蔵タンク２内で発生するＢＯＧの圧力は低圧（例えば、常圧〜０．０２ＭＰａ）である。以下、貯蔵タンク２内で発生するＢＯＧの圧力を「第０圧Ｐ０」と呼ぶ。
【００２５】
図１において、貯蔵タンク２の上部と第１レシプロ圧縮機１２の吸入側とはＢＯＧ払出しライン１５で連結されている。
複数の第１レシプロ圧縮機１２は、並列に配置され、それぞれＢＯＧ払出しライン１５を介して貯蔵タンク２で発生したＢＯＧを吸引し、第１圧Ｐ１まで圧縮する。第１圧Ｐ１は、中圧（例えば１〜３ＭＰａ）である。
第１レシプロ圧縮機１２の台数は、この図では５台であるが、２〜４台でも６台以上でもよい。
【００２６】
第１圧力検出器１１は、貯蔵タンク２の上部、又はＢＯＧ払出しライン１５に設けられ、貯蔵タンク２で発生するＢＯＧの圧力（第０圧Ｐ０）を検出する。
第１制御装置１０は、例えばコンピュータ（ＰＣ）であり、第１圧力検出器１１で検出したＢＯＧの圧力データを受信する。第１制御装置１０は、受信した圧力データに基づいて、第０圧Ｐ０が予め設定した圧力範囲（例えば、常圧〜０．０２ＭＰａ）になるように、複数の第１レシプロ圧縮機１２を制御する。
【００２７】
上述した第１レシプロ圧縮機１２の起動と停止にかかる時間は、例えば３０〜６０秒である。しかし、貯蔵タンク２の上部の空間容積は、中間配管１６の容積に比較して非常に大きい（例えば中間配管１６の容積の２０〜１００倍）ので、第１圧力検出器１１で圧力を検出した後に第１レシプロ圧縮機１２を起動又は停止しても、貯蔵タンク２の圧力変動に追従することができる。
従って、第１制御装置１０と第１圧力検出器１１により、貯蔵タンク２の上部圧力を予め設定した圧力範囲に維持することができる。
【００２８】
図１において、複数の第２レシプロ圧縮機１４は、並列に配置され、それぞれ第１レシプロ圧縮機１２で圧縮された第１圧Ｐ１のＢＯＧを第２圧Ｐ２まで圧縮する。第２圧Ｐ２は、需要先８（例えば発電所）に合わせた高圧（例えば４〜６ＭＰａ）であることが好ましい。
第２レシプロ圧縮機１４の台数は、中間配管１６から供給されるＢＯＧの全量を圧縮できるように設定される。なお、第２レシプロ圧縮機１４の台数は、この図では３台であるが、２台でも４台以上でもよい。
【００２９】
中間配管１６は、複数の第１レシプロ圧縮機１２の吐出側と複数の第２レシプロ圧縮機１４の吸入側とを連通するガス配管である。
中間配管１６の容積は、貯蔵タンク２の上部の空間容積と比較すると非常に小さく、例えば貯蔵タンク２の空間容積の１〜５％程度である。しかし、本実施形態はこの容積に限定されず、例えば中間配管１６にガスリザーバを設けてもよい。
【００３０】
この例において、中間配管１６には、第１レシプロ圧縮機１２以外のプロセス９からもオフガスが流入する。オフガスは、ＢＯＧと実質的に同一組成であるのがよい。
ここでプロセス９とは、低温液化ガス１の貯蔵システムによりオフガスを発生するプロセスや設備を意味する。
なおプロセス９は、本実施形態のＢＯＧ圧縮設備内のプロセスに限定されず、オフガス（例えばＢＯＧ）が発生する限りで、他のプロセスや設備であってもよい。また、プロセス９はこの例では１箇所のみであるが、２箇所以上であってもよい。
【００３１】
複数の第２レシプロ圧縮機１４の吐出側は、高圧ガスライン１７を介して上述した合流管７に連結されている。
上述した構成により、複数の第１レシプロ圧縮機１２により、貯蔵タンク２で発生したＢＯＧを中圧の第１圧Ｐ１まで圧縮し、複数の第２レシプロ圧縮機１４により、第１圧Ｐ１のＢＯＧを高圧の第２圧Ｐ２まで圧縮することができる。第２圧Ｐ２まで圧縮されたＢＯＧは、合流管７で蒸発器５からのガスと合流し、需要先８に供給される。
【００３２】
定格最大流量検出器１８は、複数箇所から中間配管１６に流入し得るＢＯＧの定格最大流量をそれぞれ検出する。
ここで複数箇所とは、運転中の第１レシプロ圧縮機１２である。運転中の第１レシプロ圧縮機１２の台数は、第２制御装置２０による運転台数の制御信号に基づいた台数となる。また、プロセス９が存在する場合、上述の複数箇所はプロセス９をさらに含んでもよい。この場合、プロセス９から中間配管１６に流入し得るＢＯＧの定格最大流量は予め既知であり、第１制御装置１０、第２制御装置２０、又は定格最大流量検出器１８の記憶装置（図示せず）に記憶されている。
また、「流入し得る」とは、実際に流入する必要はなく、流入できればよいことを意味する。
【００３３】
第１レシプロ圧縮機１２の定格最大流量は、運転容量Ｗが調整可能な場合には最大運転容量である。また、プロセス９の定格最大流量は、プロセス９からの流入量が変動する場合にはその最大値である。
【００３４】
図１において、中間配管１６には、総ガス流量検出器１３と第２圧力検出器１９が設けられている。
総ガス流量検出器１３は、中間配管１６に流入する総ガス流量Ｇ（すなわち実際に流入する重量流量）を検出し、第２制御装置２０に出力する。
第２圧力検出器１９は、中間配管１６内のＢＯＧの圧力を検出し、第２制御装置２０に出力する。
【００３５】
第２制御装置２０は、台数制御装置２０ａと容量調整装置２０ｂを有する。
【００３６】
台数制御装置２０ａは、上述した複数箇所（運転中の第１レシプロ圧縮機１２、または、運転中の第１レシプロ圧縮機１２とプロセス９）からの定格最大流量に基づき、第２レシプロ圧縮機１４の運転台数を制御する。この運転台数は、中間配管１６から供給されるＢＯＧの全量を圧縮できるように設定される。
【００３７】
容量調整装置２０ｂは、中間配管１６に流入する総ガス流量Ｇに基づき、運転中の各第２レシプロ圧縮機１４の運転容量Ｗを調整する。
【００３８】
例えば第２レシプロ圧縮機１４の運転容量Ｗが調整可能である場合、運転中の第２レシプロ圧縮機１４の運転容量Ｗを調整し、その総和が、中間配管１６に流入する総ガス流量Ｇよりも大きくなるように制御する。
【００３９】
図１において、本実施形態のＢＯＧ圧縮設備はさらに、リサイクルライン２１と戻しガス流量制御弁２２を備える。
【００４０】
リサイクルライン２１は、第２レシプロ圧縮機１４をバイパスしてその吐出側と中間配管１６を連通する配管ラインである。この例において、リサイクルライン２１は、上述した高圧ガスライン１７と中間配管１６を直接連通しているが、第２レシプロ圧縮機１４における、その吐出側と吸入側を直接連通してもよい。
また、リサイクルライン２１は、１本に限定されず、２以上であってもよい。
【００４１】
戻しガス流量制御弁２２は、リサイクルライン２１に設けられ、第２レシプロ圧縮機１４の吐出側から中間配管１６に戻るガス流量を制御する。この制御は、第２圧力検出器１９で検出した中間配管１６の圧力が予め設定した圧力範囲（例えば、第１圧Ｐ１±α、αは任意の圧力）になるように設定するのがよい。
なお、第２圧力検出器１９を省略し、戻しガス流量制御弁２２としてパイロット制御弁を用い、第２制御装置２０を介することなく、中間配管１６の圧力（パイロット圧）で戻しガス流量制御弁２２を直接制御してもよい。
【００４２】
複数の第２レシプロ圧縮機１４により処理されるガス流量（重量流量）が中間配管１６に流入するガス流量（重量流量）より多い場合でも、上述したリサイクルライン２１と戻しガス流量制御弁２２によって、中間配管１６の圧力を予め設定した圧力範囲に制御することができる。
【００４３】
また、上述した容量調整を行っても、中間配管１６に流入するガス流量は、流出するガス流量より小さいため、流量のアンバランスが発生する。しかし、このアンバランスは上述したリサイクルライン２１と戻しガス流量制御弁２２によりなくすことができる。
【００４４】
図２Ａと図２Ｂは、単段式レシプロ圧縮機の具体例を示す模式図である。
【００４５】
図２Ａの１台の単段式レシプロ圧縮機は、２つのシリンダＣが対向配置されており、単一の駆動源Ｍ（例えばモータ）で２つのピストンＤを駆動し、各ピストンＤの往復動により、合計４箇所でガスを圧縮する。
また、各シリンダＣには、圧縮ガスを吸入側に戻すアンロード弁Ｖが設けられており、各シリンダＣの往復動による圧縮の一方又は両方をアンロード（無負荷）にできるようになっている。
従って、図２Ａの単段式レシプロ圧縮機は、４つのアンロード弁Ｖ（一部のみを示す）のオン／オフの組み合わせにより、運転容量Ｗを５段階に変更することができる。以下、この５段階の運転容量Ｗを、少ない方から、０、第１容量Ｗ１、第２容量Ｗ２、第３容量Ｗ３、第４容量Ｗ４と呼ぶ。第４容量Ｗ４は最大運転容量である。
【００４６】
図２Ｂの１台の単段式レシプロ圧縮機は、４つのシリンダＣが放射状に配置されており、単一の駆動源Ｍ（例えばモータ）で４つのピストンＤを駆動し、各ピストンＤにより、合計４箇所でガスを圧縮する。
また、各シリンダＣには、圧縮ガスを吸入側に戻すアンロード弁Ｖが設けられており、各シリンダＣをアンロード（無負荷）にできるようになっている。
従って、図２Ｂの単段式レシプロ圧縮機も、図２Ａと同様に、４つのアンロード弁Ｖ（一部のみを示す）のオン／オフの組み合わせにより、運転容量Ｗを５段階に変更することができる。
【００４７】
なお、単段式レシプロ圧縮機の変更可能な容量のステップ数は、上述した５段に限定されず、２段（すなわちオン／オフのみ）でも、３，４段又は６段以上でもよい。
【００４８】
第１レシプロ圧縮機１２は、上述した単段式レシプロ圧縮機に限定されず、多段式レシプロ圧縮機であってもよい。また複数の第１レシプロ圧縮機１２の最大運転容量は、同一でも相違してもよい。
第２レシプロ圧縮機１４は、上述した単段式レシプロ圧縮機であることが好ましい。また複数の第２レシプロ圧縮機１４の最大運転容量は、同一でも相違してもよい。
【００４９】
図３は、１台の単段式レシプロ圧縮機による容量調整の説明図である。この図は、容量が５段階に変更可能の場合の負荷率０，Ａ１，Ａ２，Ａ３，１００％と運転容量Ｗ及び処理流量との関係を示す図である。処理流量は、１台の単段式レシプロ圧縮機が処理するガス流量を意味する。図３において、記号ｇは、これに対応する運転容量Ｗ（すなわち、負荷率）になっている単段式レシプロ圧縮機が処理できる最大流量（以下、処理可能流量ｇという）を示す。この処理可能流量ｇは、対応する運転容量Ｗに等しい。
この図に示すように、上述した４つのアンロード弁Ｖ（一部のみを示す）のオン／オフの組み合わせにより、負荷率０，Ａ１，Ａ２，Ａ３，１００％の各段に対応するように、運転容量Ｗを、０，Ｗ１，Ｗ２，Ｗ３，Ｗ４の５段階に調整することができる（この例では、いずれの隣接ステップ同士の容量差も、Ｗ１である）。負荷率０，Ａ１，Ａ２，Ａ３，１００％は例えば最大運転容量の０，２５，５０，７５，１００％である。
【００５０】
図４は、台数制御装置２０ａの構成図である。
台数制御装置２０ａは、例えばコンピュータ（ＰＣ）であり、記憶装置２３、演算装置２４、及び出力装置２５を備える。
記憶装置２３は、ＲＡＭ、ＲＯＭ、ハードディスク、等のメモリである。
演算装置２４は、例えばＣＰＵである。
出力装置２５は、例えば出力用端子、又は出力用リレーである。
【００５１】
本実施形態による、レシプロ圧縮機の制御方法は、第２制御装置２０により実行される。この制御方法は、以下で述べる台数制御と容量調整を行うものである。ただし、容量調整は行わなくてもよく、この場合には、容量調整装置２０ｂを省略してよい。
【００５２】
（台数制御）
台数制御装置２０ａ、すなわち演算装置２４は、最大総ガス流量予測部２４ａ、指令台数計算部２４ｂ、及び指令出力部２４ｃを有する。
【００５３】
図５は、本実施形態によるレシプロ圧縮機の台数制御方法の全体フロー図である。
この図において、本実施形態の方法は、Ｓ１〜Ｓ８の各ステップ（工程）からなる。
【００５４】
ステップＳ１では、上述したＢＯＧ圧縮設備を準備する。
ステップＳ２では、定格最大流量検出器１８により、複数箇所から中間配管１６に流入し得るＢＯＧの定格最大流量をそれぞれ検出する。
【００５５】
ステップＳ３では、最大総ガス流量予測部２４ａにより、上述した複数箇所からの定格最大流量に基づいて最大総ガス流量Ｇｍａｘを予測する。
上述した複数箇所は、運転中の第１レシプロ圧縮機１２を含む。なお、運転していない（すなわち停止中の）第１レシプロ圧縮機１２は対象外である。
上述した複数箇所が、プロセス９をさらに含む場合には、ステップＳ３において、ステップＳ２で検出した各定格最大流量と、上述した記憶装置に記憶されているプロセス９の定格最大流量とに基づいて、最大総ガス流量予測部２４ａにより、最大総ガス流量Ｇｍａｘを予測する。
例えば、５台の第１レシプロ圧縮機１２のうち３台が運転中であり、それぞれの定格最大流量（すなわち最大運転容量）がＧ１，Ｇ２，Ｇ３であり、プロセス９の定格最大流量がＧ９である場合、最大総ガス流量Ｇｍａｘは、Ｇｍａｘ＝Ｇ１＋Ｇ２＋Ｇ３＋Ｇ９・・・（１）で求められる。
ここで、第１レシプロ圧縮機１２の運転容量Ｗが例えば上述した５段階に変更可能である場合、定格最大流量は第４容量Ｗ４を意味する。運転中の第１レシプロ圧縮機１２の運転容量Ｗは、０，Ｗ１，Ｗ２，Ｗ３，Ｗ４のいずれであってもよい。
【００５６】
ステップＳ４では、指令台数計算部２４ｂにより、最大総ガス流量Ｇｍａｘから第２レシプロ圧縮機１４の指令台数Ｎを計算する。
すなわち、指令台数計算部２４ｂは、最大総ガス流量Ｇｍａｘと各第２レシプロ圧縮機１４の定格最大流量Ｘ（すなわち最大運転容量）とから、第２レシプロ圧縮機１４の指令台数Ｎを計算する。
例えば、第２レシプロ圧縮機１４の指令台数Ｎは、Ｎ＝ＲＯＵＮＤＵＰ（Ｇｍａｘ／Ｘ）・・・（２）で求められる。関数「ＲＯＵＮＤＵＰ」は、端数を切り上げて整数にすることを意味する。
【００５７】
複数の第２レシプロ圧縮機１４の定格最大流量Ｘ１，Ｘ２，Ｘ３が相違しており、各第２レシプロ圧縮機１４に優先度が設定されている場合には、指令台数計算部２４ｂは、優先度の高い順に第２レシプロ圧縮機１４を選択してよい。この時、選択した第２レシプロ圧縮機１４の定格最大流量の合計が上述した最大総ガス流量Ｇｍａｘを超えるようにする。
優先度は、運転効率、メンテナンス性、寿命等に基づいているのがよい。
【００５８】
上述した実施形態の台数制御方法により、運転中の第１レシプロ圧縮機１２が定格最大流量（すなわち最大運転容量）で運転する場合でも、Ｎ台の第２レシプロ圧縮機１４の定格最大流量の合計は、上述した最大総ガス流量Ｇｍａｘを超える。従って、中間配管１６から供給されるＢＯＧの全量をＮ台の第２レシプロ圧縮機１４で圧縮することができる。
【００５９】
ステップＳ５〜Ｓ８では、指令出力部２４ｃにより、運転中の第２レシプロ圧縮機１４の現在の運転台数Ｎ２と計算による指令台数Ｎとを比較し、運転中の運転台数Ｎ２が計算による指令台数Ｎと一致するように（又は、運転台数Ｎ２が指定台数Ｎに近づくように）運転台数Ｎ２の増加又は減少を指令する。
【００６０】
すなわち、指令出力部２４ｃは、ステップＳ５において、指令台数Ｎが運転台数Ｎ２を超える場合（ＹＥＳ）に、ステップＳ６において、運転台数Ｎ２を増やす増台指令を出力する。この増台指令により、第２レシプロ圧縮機１４の運転台数Ｎ２は、Ｎ２＋１に変更される。
増台指令を出力した後は、ステップＳ３に戻る。
【００６１】
また、指令出力部２４ｃは、ステップＳ７において、現在の運転台数Ｎ２より１台少ない台数が指令台数Ｎを超える場合（ＹＥＳ）に、ステップＳ８において、運転台数Ｎ２を減らす減台指令を出力する。この減台指令により、第２レシプロ圧縮機１４の運転台数Ｎ２は、Ｎ２−１に変更される。
減台指令を出力した後は、ステップＳ３に戻る。
【００６２】
ステップＳ５，Ｓ７でＮＯの場合は、増台指令も減台指令も出力せず、第２レシプロ圧縮機１４の運転台数Ｎ２は、変更なく維持される。
【００６３】
上述したステップＳ５〜Ｓ８により、運転中の運転台数Ｎ２を計算による指令台数Ｎに一致させることができる。この結果、運転中の第１レシプロ圧縮機１２が定格最大流量（すなわち最大運転容量）で運転する場合でも、Ｎ台の第２レシプロ圧縮機１４の定格最大流量の合計は、上述した最大総ガス流量Ｇｍａｘを超え、中間配管１６から供給されるＢＯＧの全量を圧縮することができる。
【００６４】
（容量調整）
第２レシプロ圧縮機１４が、の運転容量は、互いに異なる２以上の運転容量にステップ状に調整可能である場合に、容量調整装置２０ｂは、以下の（１）と（２）の一方または両方を行う。
（１）運転中の複数の第２レシプロ圧縮機１４への総ガス流量Ｇ（すなわち、中間配管１６を流れる総ガス流量Ｇ）が、運転中である各第２レシプロ圧縮機１４の現在の運転容量（すなわち、処理可能流量ｇ）の総和Ｗｓを超えたら、運転中である複数の第２レシプロ圧縮機１４の少なくともいずれかの運転容量を、最大運転容量側へ切り替える。
（２）上記総ガス流量Ｇが、運転中の各第２レシプロ圧縮機１４の現在の運転容量の総和Ｗｓよりも小さく、かつ、上記総和Ｗｓから総ガス流量Ｇを引いた値（Ｗｓ−Ｇ）が、第２レシプロ圧縮機１４の運転容量の切り替え可能量（すなわち、図３のように運転容量が１段だけステップ状に切り替わる量）よりも大きい場合に、運転中の各第２レシプロ圧縮機１４の運転容量をゼロより大きい値に維持しつつ、運転中である複数の第２レシプロ圧縮機１４の少なくともいずれかの運転容量を最小運転容量側へ切り替える。
【００６５】
すなわち、容量調整装置２０ｂは、運転中である各第２レシプロ圧縮機１４における図３の運転容量（処理可能流量ｇ）の総和が、運転中の複数の第２レシプロ圧縮機１４への総ガス流量Ｇを超えるように設定する。
本実施形態では、上述した台数制御装置２０ａが行った台数制御により運転中となっている複数の第２レシプロ圧縮機１４の一部または全部に対して、容量調整装置２０ｂによる容量調整が行われる。
【００６６】
図６は、容量調整装置２０ｂの構成図である。
容量調整装置２０ｂは、例えばコンピュータ（ＰＣ）であり、記憶装置３３、演算装置３４、及び出力装置３５を備える。
記憶装置３３は、ＲＡＭ、ＲＯＭ、ハードディスク、等のメモリである。
演算装置３４は、例えばＣＰＵである。
出力装置３５は、例えば出力用端子、又は出力用リレーである。
【００６７】
容量調整装置２０ｂ、すなわち演算装置３４は、第１容量調整部３４ａと第２容量調整部３４ｂを有する。
【００６８】
図７は、本実施形態によるレシプロ圧縮機の容量調整方法の全体フロー図である。
この図において、本実施形態の方法は、Ｓ１１〜Ｓ１８の各ステップ（工程）からなる。
【００６９】
ステップＳ１１では、上述したＢＯＧ圧縮設備を準備する。
ステップＳ１２では、総ガス流量検出器１３により、中間配管１６に実際に流入する総ガス流量Ｇを検出する。
【００７０】
ステップＳ１３〜Ｓ１８は、本実施形態による、レシプロ圧縮機の容量調整方法を示している。以下、この容量調整を説明する。
【００７１】
容量調整装置２０ｂは、運転中の第２レシプロ圧縮機１４が１台である場合に、図３に示すような運転容量Ｗ（すなわち、処理可能流量ｇ）が、中間配管１６を実際に流れる総ガス流量Ｇを超えるように運転容量Ｗを設定する。
【００７２】
また、運転中の第２レシプロ圧縮機１４が２台以上である場合には、運転中の第２レシプロ圧縮機１４の運転容量Ｗの総和が、中間配管１６に実際に流入する総ガス流量Ｇを超えるように、運転中の各第２レシプロ圧縮機１４の運転容量Ｗを設定する。
例えば、２台以上が運転中で優先順位がない場合には、中間配管１６に実際に流入する総ガス流量Ｇに対して、各第２レシプロ圧縮機１４が分担する運転容量Ｗ（処理可能流量ｇ）を適宜設定し、Ｎ台の運転容量Ｗ（図３を参照）の総和が総ガス流量Ｇを超えるように設定する。
【００７３】
容量調整装置２０ｂは、運転中の第２レシプロ圧縮機１４がＮ台（Ｎ≧２）であり、優先順位がある場合には、以下のすべての条件を満たすように運転中の各第２レシプロ圧縮機１４の運転容量Ｗを調整する。
（Ａ）運転中の第２レシプロ圧縮機１４の運転容量Ｗの総和が、中間配管１６に流入する総ガス流量Ｇを超える。
（Ｂ）第２レシプロ圧縮機１４の負荷率が、優先順位の高い順に高い。すなわち、運転中の複数の第２レシプロ圧縮機１４にそれぞれ優先順位が予め設定されており、優先順位が高い第２レシプロ圧縮機１４ほど高い運転容量（負荷率）を有する。
（Ｃ）運転中のすべての第２レシプロ圧縮機１４の運転容量（負荷率）が、ゼロより大きい。
なお優先度は、運転効率、メンテナンス性、寿命等に基づくのがよい。
【００７４】
この構成により、以下の効果が得られる。
（Ａ）により、中間配管１６に流入する総ガス流量Ｇよりも、運転中の第２レシプロ圧縮機１４の運転容量Ｗの総和が大きいため、中間配管１６の圧力上昇を防止することができる。
なお、運転中の第２レシプロ圧縮機１４の運転容量Ｗの総和の方が大きいため、中間配管１６の圧力は減圧していくが、リサイクルライン２１及び戻りガス流量制御弁２２があるため負圧化を防止することができる。
（Ｂ）により、優先度（例えば運転効率）の高い第２レシプロ圧縮機１４の負荷率を高くして、全体の運転効率などを高めることができる。
（Ｃ）により、第２レシプロ圧縮機１４が、ゼロの運転容量で運転されることを防止し、第２レシプロ圧縮機１４の運転性能を維持することができる。
【００７５】
図８は、総ガス流量Ｇと運転容量Ｗの関係を示す説明図である。
この図において、左側は中間配管１６に流入する総ガス流量Ｇ、右側は運転中の３台の第２レシプロ圧縮機１４の運転容量Ｗを示している。
また右側の３台は、上から１番目の優先順位Ｋが１番であり、２番目が２番、３番目が３番である。右側の斜線部は実際のガス流量、空白部は運転容量Ｗのうちアンロード分を意味している。
図８の各第２レシプロ圧縮機１４の運転容量Ｗは、０，Ｗ１，Ｗ２＝２Ｗ１，Ｗ３＝３Ｗ１，Ｗ４＝４Ｗ１の５段階に変更可能である。
【００７６】
この例において、上から１番目の運転容量ＷがＷ４、２番目がＷ３、３番目がＷ１であり、Ｗ４＋Ｗ３＋Ｗ１＞Ｇの関係を満たし、上記（Ａ）の条件を満たしている。
また、Ｗ４＞Ｗ３＞Ｗ１であり、上記（Ｂ）の条件を満たしている。
さらに、Ｗ４，Ｗ３，Ｗ１≧Ｗ１であり、上記（Ｃ）の条件を満たしている。
【００７７】
以下、図７と図８を参照して、各第２レシプロ圧縮機１４の運転容量Ｗの調整方法を具体的に説明する。
【００７８】
図８に示すように、運転中の第２レシプロ圧縮機１４が２台以上（この例では３台）である場合には、運転中の第２レシプロ圧縮機１４の運転容量Ｗの総和が、中間配管１６に実際に流入する総ガス流量Ｇを超えるように設定される。
【００７９】
（１）また第１容量調整部３４ａにより、優先順位Ｋが１からＮ−１である場合に（ステップＳ１３でＹＥＳ）、優先順位Ｋの高い順に、各第２レシプロ圧縮機１４の運転容量ＷをステップＳ１４〜Ｓ１６で以下のように設定する。
【００８０】
ステップＳ１４において、第１容量調整部３４ａは、優先順位Ｋに対し、優先順位が１から（Ｋ−１）までの運転容量Ｗの和ΣＷＡを計算する。ΣＷＡは、計算中の優先順位Ｋよりも優先順位の高い第２レシプロ圧縮機１４の運転容量Ｗの総和を意味する。
例えば図８において、１番上の１台は優先順位が１番であり、それより優先順位の高いものがないため、１台目のΣＷＡは０である。また、上から２番目の１台は、優先順位が２番であり、それより優先順位の高い１台があるため、ΣＷＡは１台目の運転容量であるＷ４である。
【００８１】
ステップＳ１５において、第１容量調整部３４ａは、優先順位Ｋに対し、優先順位が（Ｋ＋１）からＮまでの最低容量（上述した第１容量Ｗ１）の和ΣＷＢを計算する。最低容量は、ゼロより大きい調整可能な最低容量である。ΣＷＢは、計算中の第２レシプロ圧縮機１４よりも優先順位の低い第２レシプロ圧縮機１４が全て最低容量であると仮定して計算されるものである。この仮定は、運転中の第２レシプロ圧縮機１４の運転容量Ｗを最低容量以上に確保するためのものである。
例えば図８において、１番上の１台は優先順位が１番であり、それより優先順位の低いものが２台あるため、１台目のΣＷＢは２Ｗ１である。また、上から２番目の１台は、優先順位が２番であり、それより優先順位の低いものが１台あるため、２台目のΣＷＢはＷ１である。
【００８２】
ステップＳ１６において、第１容量調整部３４ａは、優先順位Ｋに対しその運転容量Ｗを、総ガス流量Ｇから、ΣＷＡとΣＷＢとを減算した残容量に基づいて調整する。この残容量が、優先順位Ｋの第２レシプロ圧縮機１４の最大運転容量以上である場合には、第１容量調整部３４ａは、この第２レシプロ圧縮機１４の運転容量を最大運転容量に設定してよい。この残容量が、優先順位Ｋの第２レシプロ圧縮機１４の最大運転容量より小さい場合には、例えば、第１容量調整部３４ａは、この第２レシプロ圧縮機１４の運転容量を、残容量より大きく且つ残容量に最も近い運転容量に設定してよい。
例えば図８において、１番上の１台は優先順位が１番であり、Ｗ＞Ｇ−ΣＷＡ−ΣＷＢ＝Ｇ−０−２Ｗ１を満たすＷはＷ４を超える。この場合、運転容量ＷをＷ４に調整する。
また、上から２番目の１台は、優先順位が２番であり、Ｗ＞Ｇ−ΣＷＡ−ΣＷＢ＝Ｇ−Ｗ４−Ｗ１を満たすＷはＷ２を超えるがＷ３よりは少ない。この場合、運転容量ＷをＷ３に調整する。
【００８３】
上述した運転容量Ｗの調整により、優先順位の高い第２レシプロ圧縮機１４の運転容量Ｗと、優先順位の低い第２レシプロ圧縮機１４の、ゼロより大きい最低容量を確保した上で、計算中の第２レシプロ圧縮機１４の運転容量Ｗを最大に設定することができる。
【００８４】
（２）第２容量調整部３４ｂにより、優先順位ＫがＮ（ステップＳ１３でＮＯ）の場合に、第２レシプロ圧縮機１４の運転容量Ｗを以下のように設定する。
【００８５】
ステップＳ１７において、第２容量調整部３４ｂは、優先順位Ｎに対し、１台目から（Ｎ−１）台目までの運転容量Ｗの和ΣＷＣを計算する。ΣＷＣは、Ｎ台目の第２レシプロ圧縮機１４よりも優先順位の高いすべての第２レシプロ圧縮機１４の運転容量Ｗの総和を意味する。
例えば図８において、３番上の１台は優先順位が３番であり、それより優先順位の低いものがないため、ΣＷＣはＷ４＋Ｗ３である。
【００８６】
ステップＳ１８において、第２容量調整部３４ｂは、Ｎ台目の運転容量Ｗを、総ガス流量ＧからΣＷＣを減算した残容量よりも大きい値に調整する。例えば、第２容量調整部３４ｂは、Ｎ台目の運転容量Ｗを、（Ｇ−ΣＷＣ）よりも大きく且つ（Ｇ−ΣＷＣ）に最も近い運転容量に調整する。
これにより、優先順位の高いすべての第２レシプロ圧縮機１４の運転容量Ｗを確保した上で、Ｎ台目の第２レシプロ圧縮機１４の運転容量Ｗを、ゼロより大きい最小容量以上に設定することができる。
例えば図８において、上から３番目の１台は、優先順位が３番であり、Ｗ＞Ｇ−ΣＷＡ−ΣＷＢ＝Ｇ−Ｗ４−Ｗ３を満たすＷはＷ１よりも少ない。この場合、運転容量ＷをＷ１に調整する。
【００８７】
上述した実施形態の装置と方法によれば、複数の第１レシプロ圧縮機１２により、貯蔵タンク２で発生するＢＯＧを第１圧Ｐ１まで圧縮し、複数の第２レシプロ圧縮機１４により、第１圧Ｐ１のＢＯＧを第２圧Ｐ２まで圧縮することができる。
従って、レシプロ圧縮機を用いて、貯蔵タンク２で発生するＢＯＧを高圧（例えば４〜６ＭＰａ）まで圧縮することができる。
【００８８】
また、中間配管１６に流入し得る複数箇所からのＢＯＧの定格最大流量に基づき、台数制御装置２０ａにより、複数の第２レシプロ圧縮機１４の運転台数を制御するので、中間配管１６内に圧力変動が生じる前に早期に第２レシプロ圧縮機１４の起動又は停止ができる。
従って、第２レシプロ圧縮機１４の運転台数制御の追従性が高まるので、ガス流量のアンバランスを抑制し、配管内圧力の急変を防止することができる。
【００８９】
また、複数箇所から中間配管１６に実際に流入する総ガス流量Ｇに基づき、容量調整装置２０ｂにより、運転中の各第２レシプロ圧縮機１４の運転容量Ｗを調整するので、中間配管１６内に圧力変動が生じる前に早期に運転容量Ｗの調整ができる。
従って、各第２レシプロ圧縮機１４の容量調整の追従性が高まるので、ガス流量のアンバランスを抑制し、配管内圧力の急変を防止することができる。
【００９０】
上述の実施形態によるＢＯＧ圧縮設備は、以下の付記１〜８のように記載されてよい。
【００９１】
（付記１）
ＢＯＧ圧縮設備は、
貯蔵タンクで発生するＢＯＧを第１圧まで圧縮する複数の第１レシプロ圧縮機と、
前記第１圧のＢＯＧを第２圧まで圧縮する複数の第２レシプロ圧縮機と、
前記第１レシプロ圧縮機の吐出側と前記第２レシプロ圧縮機の吸入側とを連通する中間配管と、
複数箇所から前記中間配管に流入し得るＢＯＧの定格最大流量をそれぞれ検出する定格最大流量検出器と、
前記複数箇所からの前記定格最大流量に基づき、前記第２レシプロ圧縮機の運転台数を制御する台数制御装置と、を備える。
【００９２】
（付記２）
上記付記１において、前記台数制御装置は、
それぞれの前記定格最大流量から最大総ガス流量を予測する最大総ガス流量予測部と、
前記最大総ガス流量に基づいて前記第２レシプロ圧縮機の指令台数を計算する指令台数計算部と、
前記第２レシプロ圧縮機の現在の運転台数と前記指令台数とを比較し、前記現在の運転台数が前記指令台数と一致するように運転台数の増加又は減少を指令する指令出力部と、を有する。
【００９３】
（付記３）
上記付記２において、前記指令台数計算部は、前記最大総ガス流量と各前記第２レシプロ圧縮機の定格最大流量とから、前記指令台数を計算し、
前記指令出力部は、前記指令台数が現在の運転台数を超える場合に運転台数を増やす増台指令を出力し、現在の運転台数より１台少ない台数が前記指令台数を超える場合に運転台数を減らす減台指令を出力する。
【００９４】
（付記４）
上記付記１において、上述のＢＯＧ圧縮設備は、前記第２レシプロ圧縮機をバイパスしてその吐出側と前記中間配管を連通するリサイクルラインと、
該リサイクルラインに設けられ、前記第２レシプロ圧縮機の前記吐出側から前記中間配管に戻るガス流量を制御する戻しガス流量制御弁と、を備える。
【００９５】
（付記５）
上記付記１〜４のいずれかにおいて、各前記第２レシプロ圧縮機の運転容量は、互いに異なる２以上の運転容量にステップ状に調整可能であり、
前記複数箇所から前記中間配管に実際に流入する総ガス流量を検出する総ガス流量検出器と、
前記運転台数の制御で運転中となっている各前記第２レシプロ圧縮機の運転容量を、前記総ガス流量に基づいて調整する容量調整装置と、を備える。
【００９６】
（付記６）
上記付記５において、前記容量調整装置は、
（１）前記中間配管を流れる前記総ガス流量が、運転中である各前記第２レシプロ圧縮機の運転容量の総和を超えたら、運転中である前記複数の第２レシプロ圧縮機の少なくともいずれかの運転容量を、最大運転容量側へ切り替え、または
（２）前記総ガス流量Ｇが、運転中の各前記第２レシプロ圧縮機の運転容量の総和Ｗｓよりも小さく、かつ、前記総和Ｗｓから前記総ガス流量Ｇを引いた値（Ｗｓ−Ｇ）が、前記第２レシプロ圧縮機の運転容量の切り替え可能量よりも大きい場合に、運転中の各前記第２レシプロ圧縮機の運転容量をゼロより大きい値に維持しつつ、運転中である前記複数の第２レシプロ圧縮機の少なくともいずれかの運転容量を最小運転容量側へ切り替える。
【００９７】
（付記７）
上記付記５において、運転中の前記第２レシプロ圧縮機が２台以上であり、運転中の前記複数の第２レシプロ圧縮機にそれぞれ優先順位が設定されている場合に、
（Ａ）運転中の前記第２レシプロ圧縮機の運転容量の総和が、前記中間配管に流入する前記総ガス流量を超え、
（Ｂ）前記優先順位が高い前記第２レシプロ圧縮機ほど高い運転容量を有し、かつ、
（Ｃ）運転中のすべての前記第２レシプロ圧縮機の運転容量がゼロより大きくなるように、
前記容量調整装置は、各前記第２レシプロ圧縮機の運転容量を調整する。
【００９８】
（付記８）
上記付記５において、前記容量調整装置は、運転中の前記第２レシプロ圧縮機がＮ台（Ｎ≧２）であり、運転中の前記複数の第２レシプロ圧縮機にそれぞれ優先順位が設定されている場合に、
優先順位の順に、１台目からＫ台目（１≦Ｋ≦Ｎ−１）までの運転容量を、前記総ガス流量から、１台目から（Ｋ−１）台目までの運転容量の和と、（Ｋ＋１）台目からＮ台目までの、ゼロより大きい最低容量の和とを減算した残容量に基づいて調整する第１容量調整部と、
優先順位がＮ番目の運転容量を、前記総ガス流量から、１台目から（Ｎ−１）台目までの運転容量の和を減算した残容量よりも大きい値に調整する第２容量調整部と、を有する。
【００９９】
上述の実施形態による、レシプロ圧縮機の台数制御方法は、以下の付記９、１０のように記載されてよい。
【０１００】
（付記９）
レシプロ圧縮機の台数制御方法では、
上記付記１のＢＯＧ圧縮設備を準備し、
前記定格最大流量検出器により、前記複数箇所から前記中間配管に流入し得るＢＯＧの定格最大流量をそれぞれ検出し、
前記台数制御装置により、前記複数箇所からの前記定格最大流量に基づき、前記第２レシプロ圧縮機の運転台数を制御する。
【０１０１】
（付記１０）
上記付記１０において、総ガス流量検出器により、前記複数箇所から前記中間配管に実際に流入する総ガス流量を検出し、
前記複数の第２レシプロ圧縮機により、前記第１圧のＢＯＧを第２圧まで圧縮し、
前記運転台数の制御で運転中となっている各前記第２レシプロ圧縮機の運転容量を、容量調整装置により、前記総ガス流量に基づいて、２以上のステップ状に調整する。
【０１０２】
なお、本開示は上述した実施形態に限定されず、特許請求の範囲の記載によって示され、さらに特許請求の範囲の記載と均等の意味および範囲内でのすべての変更を含むものである。
【符号の説明】
【０１０３】
Ｃ  シリンダ
Ｄ  ピストン
Ｇｍａｘ  最大総ガス流量
Ｇ１、Ｇ２、Ｇ３  定格最大流量
ｇ  処理可能流量
Ｍ  駆動源（モータ）
Ｐ０  第０圧（低圧）
Ｐ１  第１圧（中圧）
Ｐ２  第２圧（高圧）
Ｖ  アンロード弁
Ｗ  運転容量
Ｗ１  第１容量
Ｗ２  第２容量
Ｗ３  第３容量
Ｗ４  第４容量
１  低温液化ガス
２  貯蔵タンク
３  供給ライン
４  ポンプ
５  蒸発器
６  ガス移送ライン
７  合流管
８  需要先（発電所）
９  プロセス
１０  第１制御装置
１１  第１圧力検出器
１２  第１レシプロ圧縮機
１３  総ガス流量検出器
１４  第２レシプロ圧縮機
１５  ＢＯＧ払出しライン
１６  中間配管
１７  高圧ガスライン
１８  定格最大流量検出器
１９  第２圧力検出器
２０  第２制御装置
２０ａ  台数制御装置
２０ｂ  容量調整装置
２１  リサイクルライン
２２  戻しガス流量制御弁
２３  記憶装置
２４  演算装置
２４ａ  最大総ガス流量予測部
２４ｂ  指令台数計算部
２４ｃ  指令出力部
２５  出力装置
３３  記憶装置
３４  演算装置
３４ａ  第１容量調整部
３４ｂ  第２容量調整部
３５  出力装置
【図１】
2016059996.tif 000003
【図２Ａ】
2016059996.tif 000004
【図２Ｂ】
2016059996.tif 000005
【図３】
2016059996.tif 000006
【図４】
2016059996.tif 000007
【図５】
2016059996.tif 000008
【図６】
2016059996.tif 000009
【図７】
2016059996.tif 000010
【図８】
2016059996.tif 000011
【国際調査報告】
2016059996.tif 000012
2016059996.tif 000013
2016059996.tif 000014